(57)【要約】【課題】反射型フォトインタラプターによって光ディスクの有無を検出する薄い縦型の光ディスク再生装置において、光ディスクの有無を正確に検出することができる光ディスク再生装置を提供することを目的とする。【解決手段】発光部５と受光部６とを備えるセンサー１０と、筐体内壁１１に光を反射させる平滑な面１３を備える反射手段１２とを有し、該反射手段１１と前記センサー１０との間に光ディスク３が位置づけられ、前記発光部５からの出射光２１に対する前記受光部６による反射光２２の検出状況によって、光ディスクの有無を判別する反射型フォトインタラプターを有する光ディスク再生装置である。前記平滑な面１３は、該平滑な面１３からの反射光２２の光路が前記受光部６を外れるように設定される。【選択図】　図５
2004046968.tif 000002
【特許請求の範囲】
【請求項１】
発光部と受光部とを備えるセンサーと、筐体壁に光を反射させる平滑な面を備える反射手段とを有し、該反射手段と前記センサーとの間に光ディスクが位置づけられ、前記発光部からの前記受光部による出射光に対する反射光の検出状況によって光ディスクの有無を判別する反射型フォトインタラプターを有する光ディスク再生装置において、
前記反射手段は前記発光部から出射され前記平滑な面によって反射された反射光の光路が光ディスクによって反射された反射光が前記受光部に受光される光路と異なるように前記平滑な面の角度が設定されたことを特徴とする光ディスク再生装置。
【請求項２】
発光部と受光部とを備えるセンサーと、筐体壁に光を反射させる平滑な面を備える反射手段とを有し、該反射手段と前記センサーとの間に光ディスクが位置づけられ、前記発光部からの出射光に対する前記受光部による反射光の検出状況によって、光ディスクの有無を判別する反射型フォトインタラプターを有する光ディスク再生装置において、
前記反射手段は、前記発光部から出射され、前記平滑な面によって反射された反射光の光路が前記受光部を外れるように前記平滑な面の角度が設定されたことを特徴とする光ディスク再生装置。
【請求項３】
請求項１または２において、前記平滑な面は、黒色モールドで形成し、前記受光部に対して実質的に４５°の角度に傾斜して配置したことを特徴とする光ディスク再生装置。
【請求項４】
請求項１または２において、前記反射手段は、前記平滑な面を円錐型で連続した傾斜面としたことを特徴とする光ディスク再生装置。
【請求項５】
請求項４において、前記円錐型で連続した傾斜面の傾斜角度を３０°以下の傾斜角度としたことを特徴とする光ディスク再生装置。
【発明の詳細な説明】
【０００１】
【発明の属する技術分野】
本発明は、反射型フォトインタラプターにより、光ディスクの有無を検出することのできる光ディスク再生装置に関する。
【０００２】
【従来の技術】
従来、図１１に示すように、光ディスクの記録面が垂直となった状態で光ディスクを保持し、当該光ディスクの記録面に記録されているデータを再生する薄い縦型の光ディスク再生装置が知られている。この縦型の光ディスク再生装置は、上面に光ディスクを挿入する挿入口を備え、当該挿入口から光ディスクが下方へ挿入されると筐体内部の光ディスク搬送手段によって、光ディスクを挿入口から筐体内部に備える光ディスク再生手段まで搬送し、当該光ディスク再生手段によって、光ディスクに記録されているデータを再生する。
【０００３】
このような光ディスク再生装置は、光ディスクが挿入口に挿入されたか否かを判別する光ディスク検出手段を備え、当該光ディスク検出手段が光ディスクを検出すると、光ディスク搬送手段が動作を開始し、光ディスクを搬送する。この光ディスク検出手段には、光ディスクと接触することなく、光を発光部から発光し、その光を受光部が受光したか否かによって光ディスクの有無を検出するフォトインタラプターが広く使用されている。このフォトインタラプターには、反射型フォトインタラプター（例えば、特開平５−３７０１０号公報）と透過型フォトインタラプター（例えば、特開平８−２４２０１８号公報）があり、どちらも光ディスクの有無を検出することが出来る。フォトインタラプターによって光ディスクの有無を検出する光ディスク再生装置は、特開平７−３２０３９０号公報あるいは特開平１１−２９６９４９号公報に記載されている。
【０００４】
透過型フォトインタラプターを備えることによって薄い縦型の光ディスク再生装置の挿入口への光ディスクの挿入の有無を検出するには、発光部から発光され受光部によって受光する光が光ディスクによって遮断されるか否かによって光ディスクの有無を検出する構成であるため、挿入口から挿入される光ディスクの表面及び裏面に近接した位置にそれぞれ発光部及び受講部を配置する必要がある。このような挿入口から挿入される光ディスクの表面及び裏面にそれぞれ発光部及び受光部を備える構成とすると、光ディスク再生装置の筐体を厚くしなければならないという欠点がある。
【０００５】
反射型フォトインタラプターは、発光部から発光された光が光ディスクの表面によって反射され、光ディスクの表面によって反射した光を受光部によって受光したか否かによってディスクの有無を検出する構成のため、発光部と受光部を一体化させた状態で光ディスク再生装置の筐体内に設置させることが出来る。そのため、光ディスク再生装置の筐体を薄くすることが出来る。
【０００６】
【発明が解決しようとする課題】
縦型の光ディスク再生装置の筐体内に反射型フォトインタラプターを備え、この反射型フォトインタラプターによって光ディスクの有無を検出する構成とする場合は、図３に示すように、光ディスクへ照射する光及び光ディスクから反射する光が略水平な方向となるように反射型フォトインタラプターを筐体内部に設置する。これにより、光ディスクが挿入口から挿入されると、発光部から光を発光し、その光が光ディスクによって反射されて受光部によって受光されたか否かによって光ディスクの有無を検出することが出来る。
【０００７】
しかしながら、このような構成とすると、光ディスクが挿入口から挿入されていない場合でも、反射型のフォトインタラプターの発光部から発光された光が光ディスク再生装置の筐体の壁面によって反射し、その反射した光が受光部によって受光されてしまい、光ディスクがあると誤検出してしまう虞がある。特に、筐体が薄い縦型の光ディスク再生装置は、光ディスクを水平に保持する据え置き型の光ディスク再生装置と比較して筐体内部の両側壁間の距離が短いために、光ディスクの表面と筐体の内壁面との距離が短くなってしまい、反射型フォトインタラプターが光ディスクの有無を誤検出してしまう可能性が高くなる。
【０００８】
光ディスクの有無を誤検出してしまうと、光ディスクが挿入されていないにもかかわらず反射型フォトインタラプターが光ディスクがあると誤検出してしまい、光ディスク搬送手段が動作してしまい、光ディスク再生装置が故障してしまう虞がある。また、光ディスクを挿入口へ挿入しても、反射型フォトインタラプターが光ディスクがあることを検出せずに光ディスク搬送手段が動作しないような不具合が発生する。
【０００９】
図１において、反射型フォトインタラプターは発光部とおよび受光部とからなるセンサーを有し、筐体内壁とセンサーとの間に光ディスクが配設されたとする。この場合、センサーには最も反応し易い距離があり、光ディスクとセンサーとの距離をＬ１、筐体内壁とセンサーとの距離をＬ２として光ディスクを挿入、位置づけた場合、感度よく光ディスクの存在（有）を検出するためにはＬ２を充分に大きく確保する必要がある。しかしながらＬ２を大きくするためには、筐体を厚くしなければならない。Ｌ２の距離を大きくしなくても光ディスクの有無を正確に検出することができる光ディスク再生装置が望まれている。
【００１０】
本発明は、反射型フォトインタラプターによって光ディスクの有無を検出する薄い縦型の光ディスク再生装置において、光ディスクの有無を正確に検出することができる光ディスク再生装置を提供することを目的とする。
【００１１】
【課題を解決するための手段】
本発明は、光ディスク再生装置において、発光部と受光部とを備えるセンサーと、筐体壁に光を反射させる平滑な面を備える反射手段とを有し、該反射手段と前記センサーとの間に光ディスクが位置づけられ、前記発光部からの前記受光部による出射光に対する反射光の検出状況によって光ディスクの有無を判別する反射型フォトインタラプターを有する光ディスク再生装置において、前記反射手段は前記発光部から出射され前記平滑な面によって反射された反射光の光路が光ディスクによって反射された反射光が前記受光部に受光される光路と異なるように前記平滑な面の角度が設定されることを特徴とする。
これにより、筐体内壁により反射され、受光部へ戻る光量を減少させる。
【００１２】
この方法として、例えば、センサーと相対する筐体壁面に、例えば黒色モールドで形成した滑らかな傾斜面を設けて、傾斜面を４５°に設定して、発光部からの出射光を傾斜面にて受光部とは異なる方向（例えば９０°）に反射させる。
【００１３】
【発明の実施の形態】
以下、本発明の実施例を図面に基づいて説明する。
図２に、センサー光量に対する反応状況を示す。
物体反射の有無において光量差Ｄが大きい程、判別し易く、センサーのばらつき、精度を考慮すると、光量差Ｄは大きければ大きい程判別が容易となる。
【００１４】
図３および図４は、本発明の実施例である光ディスク再生装置における光ディスクの有無判断方法の概略を示す。図３は、概略して示した光ディスク再生装置１の断面図であり、図４は図３のＡ―Ａ断面を示す側面断面図である。これらの図において、装置本体である筐体２には上部に光ディスク３の挿入口４が設けられ、光ディスク３は、ローディングあるいはアンローディングされることによって挿入口４から挿入あるいは排出される。
【００１５】
筐体２の内部には、発光部５および受光部６からなるセンサー１０（反射方フォトインタラプター）が配設されており、筐体内壁１１に設けた反射手段１２に対向する位置に配設される。光ディスク３はセンサー１０と反射手段１２との中間に位置づけられるようにして挿入口４から矢印Ｂで示すように筐体内に挿入される。センサー１０の配置位置は、有無の検出を行う光ディスク３の表面に対してセンサー１０の発光部５からの出射光２１が垂直になる角度で、かつ光ディスク３の有無判別の検出を行う位置に配置される。
【００１６】
このような設置関係において、センサー１０の発光部５からの出射光２１は、光ディスク３に当って反射して反射光２２となり、受光部６によって反射光２２を受光するとその光の強さが電位として検出される。
【００１７】
図５は、光ディスク３が筐体２の内部に無い場合におけるセンサー１０の発光部５からの出射光２１の光路状況を示す。図５（ａ）に示すように、発光部５からの出射光２１が反射手段１２の平滑な面に当たる状況を、そして図５（ｂ）に９０°方向に曲げられた反射光２２が出射光２３方向に出射される状況を示す。
【００１８】
図５に示すように、発光部５からの出射光２１が反射する筐体内壁１１にセンサー１０に対して実質的に４５°の傾斜角度を持った滑らかな傾斜面１３を設ける。光ディスク３が筐体２の内部に無い場合、発光部５からの出射光２１は筐体内壁１１方向に向かって進むが、前記傾斜面１３により、光路が９０°変わるため、受光部６とは異なる方向に反射する。これで受光部方向への戻り光を減少させることができるので、出射光２３が光ディスクによって反射された場合と筐体内壁によって反射された場合の受光部６の入射する反射光２２の光量差を大きくできる。
【００１９】
図６は、センサー１０（反射型フォトインタラプター）の検出電気回路を示す。発光部５に発光ダイオードが使用され、受光部６にフォトトランジスタが使用される。
発光部５からの出射光２１が光ディスク３に反射し受光部６に反射光２２が入射し、光量に応じた電流が流れることで電圧測定ポイントの電圧が変化する。受光部６に反射光２２が入射しない場合、受光部６では電流が流れず電圧が変化しない。
【００２０】
以上のように、筐体２の内部に光ディスク３が有る場合と無い場合において反射光の光量差が大きくなって光ディスク３の判断が正確になる。従来例の場合、発光部５からの出射光２１が筐体内壁１１で反射し、受光部６で戻り光を受光するために受光部６の出力電圧が光ディスク有りとの判断領域にあって誤判断の原因ともなるものであったが、本実施例の場合、反射手段１２からの反射光２２が受光部６に戻らないようになされているので、光ディスク３がない場合の出力電圧は低く、光ディスク無しとの判断を確実に行うことになる。
【００２１】
以上のように、本実施例によれば、発光部５と受光部６とを備えるセンサー１０と、筐体内壁１１に光を反射させる平滑な面１３を備える反射手段１２とを有し、該反射手段１２と前記センサー１０との面に光ディスク３が位置づけられ、出射光２１に対する反射光２２の検出状況によって光ディスク３の有無を判別する反射型フォトインタラプターを有する光ディスク再生装置１において、前記平滑な面１３の角度を、該平滑な面１３からの反射光２２の光路が、光ディスク３からの反射光２２が前記受光部６に受光される光路と異なるように設定した光ディスク再生装置が構成される。
【００２２】
また、発光部５と受光部６とを備えるセンサー１０と、筐体内壁１１に光を反射させる平滑な面１３を備える反射手段１２とを有し、該反射手段１２と前記センサー１０との間に光ディスク３が位置づけられ、出射光２１に対する反射光２２の検出状況によって、光ディスク３の有無を判別する反射型フォトインタラプターを有する光ディスク再生装置１において、前記平滑な面１３の角度を、該平滑な面１３からの反射光２２の光路が前記受光部６を外れる角度に設定される光ディスク再生装置が構成される。また、前記反射手段を黒色モールドで形成し、受光部に対して実質的に４５°角度に傾斜させて配置した光ディスク再生装置が構成される。
【００２３】
次に、本発明の光ディスク再生装置の第２の実施例について説明する。第１の実施例と同一の構成については同一の番号を付し、説明を準用するものとする。上述したこの単一４５°の傾斜面は図７（ａ）に示すように縦方向の寸法ａ１に対して横方向の寸法が寸法ａ２を必要とする。そのａ２の寸法設定について、センサー１０の取り付け位置の精度が悪くなればなる程ａ２の寸法を大きくしなければならないため、光ディスク再生装置１の筐体サイズに制限がある場合等、このような筐体内壁の形状の配置が困難となる場合がある。
【００２４】
この単一４５°傾斜面に替わる形状として図７（ｂ）及び（ｃ）に示すような円錐型の連続した傾斜面とする。これは、傾斜角度をａ°とした円錐形状を筐体内壁１１に連続して配置する。この場合、円錐の底面直径をｂとすると、円錐高さｃ＝（ｂ／２）ｔａｎ　ａ　となる。
【００２５】
図８は円錐型の連続した傾斜面を横から見た図であり、図８に示す矢印は、センサー１０からの出射光２２が反射する角度を示している。センサー１０からの出射光２２は傾斜面１３Ａ，１３Ｂにて反射し、その角度は筐体内壁１１に対してそれぞれ（９０−２ａ）となる。
【００２６】
図９に示すように、傾斜面で反射した光が隣の傾斜面で再度反射すると、センサー１０方向への乱反射が発生する場合がある。
反射光が隣の傾斜面に反射しない条件は図８に示す（反射角度）≧（傾斜角度）であり、これを満足する傾斜角度ａは、（９０−２ａ）≧ａからａ≦３０°となる。すなわち、傾斜角度を３０°以下に設定することで隣の傾斜面１３Ａ，１３Ｂによる乱反射を無くすることができる。
【００２７】
図１０にセンサー１０の配置可能範囲を示す。反射光の範囲は図１０に示す通りであり、センサー１０の配置可能範囲は円錐形状の頂点から４ａ°の範囲となる。傾斜角度ａが小さくなればなる程、センサー配置可能範囲の角度が狭くなる。傾斜角度ａについては筐体の大きさとセンサー１０の配置位置の精度により決定する。
【００２８】
以上のように第２の実施例によれば、発光部５と受光部６とを備えるセンサー１０と、筐体内壁１１に光を反射させる平滑な面１３Ａ，１３Ｂを備える反射手段１２とを有し、該反射手段１２と前記センサー１０との面に光ディスク３が位置づけられ、出射光２１に対する反射光２２の検出状況によって光ディスク３の有無を判別する反射型フォトインタラプターを有する光ディスク再生装置１において、前記平滑な面１３Ａ，１３Ｂを円錐型の連続した傾斜面とした光ディスク再生装置を構成することができる。
【００２９】
また、前記円錐型の連続した傾斜面の傾斜角度を３０°以下の傾斜とした光ディスク再生装置を構成することができる。
また、光ディスク３を筐体内壁１１近傍に配設した光ディスク再生装置を構成することができる。
【００３０】
【発明の効果】
以上に説明したように、本発明によれば、センサー１０を具備した反射型フォトインタラプターを使用して筐体内部で光ディスク３の有無の判別を行う光ディスク再生装置において、センサー１０の正面に筐体内壁があり、センサー１０と筐体内壁との距離がセンサー１０と光ディスク３との距離に対して充分に確保出来ない場合にあっても光ディスク３の有無の正確な検出が可能となる。
また、センサー１０の精度、回路構成上の部品のばらつきを抑えて検出機構を構成したとしても、経時変化によってセンサー１０の感度が低下しても、誤判断を引き起こすということがない。
【００３１】
本発明により、前記の通り光ディスク３の有無の検出が不可能となる要因を無くすることができ、経時変化によるセンサー１０の感度低下に対してもセンサー１０の発光部５からの出射光２１の出力を上げることで対応することができる。また、センサー１０から検出物である光ディスク３までの距離とセンサー１０から筐体内壁１１までの距離差を小さくすることが出来るため、筐体内壁近傍での検出が可能となり、センサー１０の配置場所に自由度を持たせられると共に、光ディスク再生装置の筐体サイズの縮小化を図ることができる。
【図面の簡単な説明】
【図１】センサー１０によって光ディスク３の有無を判別する構成を示す図。
【図２】センサー１０の光量に対する反応を示す図。
【図３】本発明の実施例の概略構成を示す断面図。
【図４】図３のＡ−Ａ断面図。
【図５】本発明の実施例の光ディスク再生装置の構造図。
【図６】センサー１０（反射型フォトインタラプター）の動作原理、電位変化による光ディスクの有無の検出方法を示す図。
【図７】傾斜面形状を示す図。
【図８】円錐型の連続した傾斜面における反射状況を示す図。
【図９】センサー１０の方向への戻り光である乱反射が発生する状況を示す図。
【図１０】センサー１０の配置可能範囲を示す図。
【図１１】従来の光ディスク再生装置を示す図。
【符号の説明】
１…光ディスク再生装置、２…筐体、３…光ディスク、４…挿入口、５…発光部、６…受光部、１０…センサー、１１…筐体内壁、１２…反射手段、１３…平滑な面、１３Ａ，１３Ｂ…円錐型連続傾斜面、２１…出射光、２２…反射光。
【図１】
2004046968.tif 000003
【図２】
2004046968.tif 000004
【図３】
2004046968.tif 000005
【図４】
2004046968.tif 000006
【図５】
2004046968.tif 000007
【図６】
2004046968.tif 000008
【図７】
2004046968.tif 000009
【図８】
2004046968.tif 000010
【図９】
2004046968.tif 000011
【図１０】
2004046968.tif 000012
【図１１】
2004046968.tif 000013